(57)【要約】【課題】電源喪失やケーブル断線等のトラブルが発生しても、復帰が容易なプラントの臨時監視システムを提供する。【解決手段】プラントの臨時監視システム１０Ａにおいて、プラント１１の内に設けられているセンサ１２が出力するプロセス信号１３を伝送する複数の第ｎケーブル１４n（ｎ＝１，２，…Ｎ＋１）と、少なくとも一つがプラント１１の外に設けられ第ｎケーブル１４nの両端がそれぞれ接続する第ｎ−１端子盤１５n-1及び第ｎ端子盤１５n（ｎ＝１，２，…Ｎ）と、第Ｎ端子盤１５Nに一端を接続させた第Ｎ＋１ケーブル１４Nの他端が接続する信号出入力部３１と、入力したプロセス信号１３をデータ処理する信号処理部３２と、を備える。【選択図】  図１
2016206928.tif 000002
【特許請求の範囲】
【請求項１】
プラントの内に設けられているセンサが出力するプロセス信号及び機器を制御する制御信号の少なくとも一方を伝送する複数の第ｎケーブル（ｎ＝１，２，…Ｎ＋１）と、
少なくとも一つが前記プラントの外に設けられ、前記第ｎケーブルの両端がそれぞれ接続する第ｎ−１端子盤及び第ｎ端子盤（ｎ＝１，２，…Ｎ）と、
前記第Ｎ端子盤に一端を接続させた第Ｎ＋１ケーブルの他端が接続する信号出入力部と、
入力した前記プロセス信号をデータ処理するか又は作業員の操作により前記制御信号を生成する信号処理部と、を備えることを特徴とするプラントの臨時監視システム。
【請求項２】
請求項１に記載のプラントの臨時監視システムにおいて、
前記第ｎ端子盤は、
前記信号出入力部から出力される検査信号を前記第ｎ＋１ケーブルから前記第ｎケーブルに伝送する端子と、
伝送された前記検査信号を前記第ｎ＋１ケーブルに返送する端子と、
前記第ｎ端子盤よりも前記プラント側に設けられている端子盤から返送される前記検査信号をそれぞれ別々に伝送する端子と、を有し、
前記第ｎケーブルは、
前記信号出入力部から出力される前記検査信号を伝送する素線と、
前記第ｎ端子盤よりも前記プラント側に設けられている端子盤から返送される前記検査信号をそれぞれ別々に伝送する素線と、を有し、
さらに前記第Ｎ端子盤から返送される前記検査信号に基づいて、いずれかの前記第ｎケーブルの断線の有無を判定する判定部を、備えることを特徴とするプラントの臨時監視システム。
【請求項３】
請求項１に記載のプラントの臨時監視システムにおいて、
前記第ｎ端子盤は、その他の端子盤に設けられたものと互いに並列回路を形成する電気抵抗を有し、
前記第ｎケーブルは、前記電気抵抗の両端に設けられた端子に接続する素線をさらに有することを特徴とするプラントの臨時監視システム。
【請求項４】
請求項１に記載のプラントの臨時監視システムにおいて、
複数の前記第ｎケーブル及び前記第ｎ端子盤が成す直列回路に対し並列に接続されるとともに、これら前記第ｎケーブル及び前記第ｎ端子盤のそれぞれに対応して設けられる第ｎサブケーブル及び前記第ｎサブ端子盤を、さらに備えることを特徴とするプラントの臨時監視システム。
【請求項５】
請求項４に記載のプラントの臨時監視システムにおいて、
対応する前記第ｎ端子盤の端子と前記第ｎサブ端子盤の端子とを相互に連結するための予備ケーブルを、さらに備えることを特徴とするプラントの臨時監視システム。
【請求項６】
請求項４又は請求項５に記載のプラントの臨時監視システムにおいて、
前記第ｎ端子盤及び前記第ｎサブ端子盤の各々は、
前記信号出入力部が送信する検査信号を前記第ｎケーブル及び前記第ｎサブケーブルに転送する端子と、
前記プラントに到達したのち返送された前記検査信号を前記第ｎ＋１ケーブル及び前記第ｎ＋１サブケーブルに転送する端子と、を有し、
さらに前記第ｎ端子盤及び前記第ｎサブ端子盤から返送される前記検査信号に基づいて、前記第ｎケーブル及び前記第ｎサブケーブルのうちいずれかに発生する断線の有無を判定する判定部を、
をさらに備えることを特徴とするプラントの臨時監視システム。
【請求項７】
請求項１から請求項６のいずれか１項に記載のプラントの臨時監視システムにおいて、
前記プラントの内には、基準電圧の発生器が設けられ、
前記第ｎケーブルには、前記基準電圧の信号を伝送する素線が設けられ、
前記第ｎ端子盤には、前記基準電圧の信号を伝送する端子が設けられ、
前記信号出入力部が入力した前記基準電圧の信号に基づいて、前記プロセス信号を補正する補正部が、さらに設けられていることを特徴とするプラントの臨時監視システム。
【請求項８】
請求項１から請求項７のいずれか１項に記載のプラントの臨時監視システムにおいて、
前記プラントの側に設けられ、前記第ｎ＋１ケーブルが断線した場合、前記第ｎケーブルを経由して前記第ｎ端子盤に設けられた第１発光部に電力を供給する第１電源と、
前記信号出入力部の側に設けられ、前記第ｎケーブルが断線した場合、前記第ｎ＋１ケーブルを経由して前記第ｎ端子盤に設けられた第２発光部に電力を供給する第２電源と、をさらに備えることを特徴とするプラントの臨時監視システム。
【請求項９】
請求項８に記載のプラントの臨時監視システムにおいて、
前記第ｎ端子盤は、
前記第１発光部に直列接続する保護抵抗とこの第１発光部とが接続する節点に連絡する端子と、
前記第２発光部に直列接続する保護抵抗とこの第２発光部とが接続する節点に連絡する端子と、
前記第１発光部及び前記第２発光部の反対側の節点にそれぞれ別々に連絡する端子と、
二つの前記保護抵抗の反対側の節点にそれぞれ別々に連絡する端子と、を有し、
前記第ｎケーブル及び前記第ｎ＋１ケーブルは、これら端子に接続する素線を有することを特徴とするプラントの臨時監視システム。
【発明の詳細な説明】
【技術分野】
【０００１】
本発明の実施形態は、プラントを常時監視するシステムとは別個に、離れた場所に設けられるプラントの臨時監視システムに関する。
【背景技術】
【０００２】
原子力プラントは、その内部に設置されているセンサや機器から発信される多数のプロセスデータを、同じ建屋内に設けられた入力装置で受信し、常時監視するシステムを導入している。
さらに原子力プラントには、事故等が発生した場合を想定し、その状況を判断するために、これらプラントデータのうち主要データを、同じく建屋内に設けられている伝送装置を介し、数ｋｍ離れた遠隔地から監視する臨時監視システムが導入されている。
【先行技術文献】
【特許文献】
【０００３】
【特許文献１】特開２０１１−１４５２０６号公報
【発明の概要】
【発明が解決しようとする課題】
【０００４】
しかし、原子力プラントに事故が発生した場合、建屋内の入力装置や伝送装置に電力を供給する電源が喪失し、プラントデータを臨時監視システムに伝送できないことが想定される。
また、電源が喪失しないまでも、同じ建屋内に設けられた伝送装置と臨時監視システムとを接続するケーブルが断線してしまうことも想定される。
いずれの想定においても、復旧に時間を要し、喫緊の事態に対し早急に対処することができなくなる課題があった。
【０００５】
本発明の実施形態はこのような事情を考慮してなされたもので、電源喪失やケーブル断線等のトラブルが発生しても、復帰が容易なプラントの臨時監視システムを提供することを目的とする。
【課題を解決するための手段】
【０００６】
実施形態に係るプラントの臨時監視システムにおいて、プラントの内に設けられているセンサが出力するプロセス信号及び機器を制御する制御信号の少なくとも一方を伝送する複数の第ｎケーブル（ｎ＝１，２，…Ｎ＋１）と、少なくとも一つが前記プラントの外に設けられ、前記第ｎケーブルの両端がそれぞれ接続する第ｎ−１端子盤及び第ｎ端子盤（ｎ＝１，２，…Ｎ）と、前記第Ｎ端子盤に一端を接続させた第Ｎ＋１ケーブルの他端が接続する信号出入力部と、入力した前記プロセス信号をデータ処理するか又は作業員の操作により前記制御信号を生成する信号処理部と、を備える。
【発明の効果】
【０００７】
本発明の実施形態により、電源喪失やケーブル断線等のトラブルが発生しても、復帰が容易なプラントの臨時監視システムが提供される。
【図面の簡単な説明】
【０００８】
【図１】本発明の第１実施形態に係るプラントの臨時監視システムの概要図。
【図２】本発明の第２実施形態に係るプラントの臨時監視システムの概要図。
【図３】本発明の第３実施形態に係るプラントの臨時監視システムの概要図。
【図４】本発明の第４実施形態に係るプラントの臨時監視システムの概要図。
【図５】本発明の第５実施形態に係るプラントの臨時監視システムの概要図。
【図６】本発明の第６実施形態に係るプラントの臨時監視システムの概要図。
【図７】本発明の第７実施形態に係るプラントの臨時監視システムの概要図。
【図８】（Ａ）（Ｂ）（Ｃ）は第７実施形態に係るプラントの臨時監視システムの動作説明図。
【図９】本発明の第８実施形態に係るプラントの臨時監視システムの概要図。
【発明を実施するための形態】
【０００９】
（第１実施形態）
以下、本発明の実施形態を添付図面に基づいて説明する。
図１に示すように第１実施形態に係るプラントの臨時監視システム１０Ａ（１０）は、プラント１１の内に設けられているセンサ１２が出力するプロセス信号１３を伝送する複数の第ｎケーブル１４n（ｎ＝１，２，…Ｎ＋１）と、少なくとも一つがプラント１１の外に設けられ第ｎケーブル１４nの両端がそれぞれ接続する第ｎ−１端子盤１５n-1及び第ｎ端子盤１５n（ｎ＝１，２，…Ｎ）と、第Ｎ端子盤１５Nに一端を接続させた第Ｎ＋１ケーブル１４Nの他端が接続する信号出入力部３１と、入力したプロセス信号１３をデータ処理する信号処理部３２と、を備えている。
なお以下において、接続位置を特に意識しない場合、第ｎケーブル１４n及び第Ｎ端子盤１５Nを、それぞれケーブル１４及び端子盤１５のように、添字を外して記載する場合がある。また、各実施形態においてＮ＝３の場合を示しているが、Ｎは自然数であれは特に限定はない。
【００１０】
原子力発電所におけるプラント１１は、同じ建屋内に設けられた中央制御室（図示略）において操作及び監視が常時なされている。
プラント１１に事故等が起きた場合、事象の進展状況によっては、運転員が中央制御室から退避する必要にせまられる。
そのような場合でも、プラント１１から数キロメートル先の場所に離れて設置されている遠隔装置３０に、運転員を移動させて、プラント１１の操作及び監視を継続的に遂行することができる。
【００１１】
各実施形態において、プラント１１と遠隔装置３０とは、端子盤１５を介して直列に連結された複数のケーブル１４により接続されている。ここで、ケーブル１４は、複数の素線２２，２３，２４を束ねて一本に構成された多芯構造を有し、その両端には端子盤１５の端子１８，１９，２０，２１に着脱自在なコネクタ（図示略）が設けられている。
【００１２】
このように、各実施形態に係るプラントの臨時監視システム１０が構成されることで、事故等によりケーブル１４の断線が発生した場合、断線した第ｎケーブル１４nのみを、第ｎ端子盤１５n及び第ｎ−１端子盤１５n-1から取り外して交換し、復旧時間を短縮することができる。
【００１３】
ここでセンサ１２とは、計測対象の機械的、電磁気的、熱的、音響的、化学的性質を、何らかの科学的原理を応用して、アナログ電気信号に置き換えるものである。
またプロセス信号１３とは、このアナログ電気信号の原信号である場合の他に、アナログ電気信号の増幅信号、アナログ電気信号を変換したデジタル信号、このデジタル信号を演算処理したデータ信号である場合が含まれる。
なお特に詳述しないが、このようなプロセス信号１３を生成するのに必要な電力を遠隔装置３０からプラント１１に供給するための素線がケーブル１４に含まれる場合もある。
【００１４】
信号処理部３２は、信号出入力部３１の端子群３６に入力したプロセス信号１３を処理し、プラント１１の状態を表わした監視用データ３４を生成する。
信号処理部３２での処理は、アナログ信号をデジタル信号に変換したり、このデジタル信号やデータ信号を演算処理したりすることである。
そして、この監視用データ３４は、データ表示部３５に、作業員が視識できる形式で表示される。
【００１５】
第１実施形態の臨時監視システム１０Ａは、さらに第ｎケーブル１４n（１４1，１４2，…１４N+1）の断線を検出するシステムとして、次に示す構成を備えている。
すなわち第ｎ端子盤１５n（１５1，１５2，…１５N）は、プロセス信号１３を伝送させる端子２１nに加え、さらに信号出入力部３１から出力される検査信号１７を第ｎ＋１ケーブル１４n+1から第ｎケーブル１４nに伝送する端子１８n（１８1，１８2，…１８N）と、伝送された検査信号１７を第ｎ＋１ケーブル１４n+1に返送する端子１９nと、第ｎ端子盤１５nよりもプラント側に設けられている端子盤１５n-1，１５n-2…から返送される検査信号１７をそれぞれ別々に伝送する端子２０n（２０1，２０2，…２０N）と、を有している。
【００１６】
そして第ｎケーブル１４nは、プロセス信号１３を伝送させる素線２２nに加え、信号出入力部３１から出力される検査信号１７を伝送する素線２３nと、第ｎ端子盤１５nよりもプラント側に設けられている端子盤１５n-1，１５n-2…から返送される検査信号１７をそれぞれ別々に伝送する素線２４nと、を有している。
【００１７】
プラントの臨時監視システム１０Ａの信号出入力部３１は、プロセス信号１３を入力する端子群３６の他に、検査信号１７を入出力する端子群３７が設けられている。
この端子群３７は、検査信号１７を出力する端子と、第ｎ端子盤１５n（１５1，１５2，…１５N）から返送された検査信号１７を個別に入力する複数の端子と、から構成されている。
【００１８】
ケーブル１４に断線が無い場合、出力された検査信号１７は、全ての端子盤１５及びプラント１１に到達し、信号出入力部３１の対応する端子群３７に返送される。
一方、複数のケーブル１４のうちいずれかに断線が発生した場合、この断線した第ｎケーブル１４nよりもプラント１１側に位置する第ｎ−１端子盤１５n-1以前から返送される検査信号１７が、端子群３７に入力されなくなる。
【００１９】
断線判定部３３は、第ｎ端子盤１５n（１５1，１５2，…１５N）から返送される検査信号１７の受信の有無に基づいて、いずれかの第ｎケーブル１４n（１４1，１４2，…１４N+1）の断線の有無を判定する。
第１実施形態の臨時監視システム１０Ａによれば、ケーブル１４の断線箇所を特定することができ、この特定されたケーブル１４のみを交換してプラント１１の監視を復旧することができる。
【００２０】
（第２実施形態）
次に図２に基づいて本発明における第２実施形態について説明する。
なお、図２において図１と共通の構成又は機能を有する部分は、同一符号で示し、重複する説明を省略する。
第２実施形態の臨時監視システム１０Ｂの、第１実施形態の臨時監視システム１０Ａからの相違点は、第ｎケーブル１４n（１４1，１４2，…１４N+1）の断線を検出するシステムの構成にある。
【００２１】
第２実施形態に係るプラントの臨時監視システム１０Ｂにおいて、第ｎ端子盤１５n（１５1，１５2，…１５N）は、その他の端子盤１５に設けられたものと互いに並列回路を形成する電気抵抗１６n（１６1，１６2，…１６N）を有している。
そして第ｎケーブル１４nは、電気抵抗１６nの両端に設けられた端子２５n（２５1，２５2，…２５N）に接続する素線２６n（２６1，２６2，…２６N+1）をさらに有している。
【００２２】
第２実施形態の臨時監視システム１０Ｂでは、全ての端子盤１５に同一の抵抗値Ｒを持つ電気抵抗１６を配置し、並列回路が形成されている。
そして、プラントの臨時監視システム１０Ｂの信号出入力部３１には、プロセス信号１３を入力する端子群３６の他に、電気抵抗１６n（１６1，１６2，…１６N）からなる並列回路の合成抵抗を検出するための端子群３７が設けられている。
【００２３】
ケーブル１４に断線が無い場合、抵抗値Ｒ、電気抵抗１６の設置数Ｎとして、端子群３７で検出される合成抵抗値はＲ／Ｎとなる。
一方、複数のケーブル１４のうちいずれかに断線が発生した場合、この断線した第ｎケーブル１４nよりも遠隔装置３０側に位置する第ｎ端子盤１５n以降に設置される電気抵抗１６の合成抵抗値として、Ｒ／（Ｎ−ｎ＋１）が検出される。
【００２４】
第２実施形態における判定部３３は、信号出入力部３１の端子群３７で検出された合成抵抗値に基づいて、いずれかの第ｎケーブル１４n（１４1，１４2，…１４N+1）の断線の有無を判定する。
第２実施形態の臨時監視システム１０Ｂによれば、ケーブル断線の検出に必要な素線２６の数を削減することができ（最低で２本）、さらにケーブル１４の設置位置に関係無くその構成を共通化することができる。
【００２５】
（第３実施形態）
次に図３に基づいて本発明における第３実施形態について説明する。
なお、図３において図１と共通の構成又は機能を有する部分は、同一符号で示し、重複する説明を省略する。
第３実施形態の臨時監視システム１０Ｃの、第１実施形態の臨時監視システム１０Ａからの相違点は、遠隔装置３０にプロセス信号１３を受信させる経路を、多重化した構成にある。
【００２６】
第３実施形態の臨時監視システム１０Ｃは、複数の第ｎケーブル１４n（１４1，１４2，…１４N+1）及び第ｎ端子盤１５n（１５1，１５2，…１５N）が成す直列回路に対し並列に接続されるとともに、これら第ｎケーブル１４n及び第ｎ端子盤１５nのそれぞれに対応して設けられる第ｎサブケーブル４１n（４１1，４１2，…４１N+1）及び前記第ｎサブ端子盤４２n（４２1，４２2，…４２N）を、さらに備えている。
【００２７】
ケーブル１４に断線が無い場合、センサ１２から出力されたプロセス信号１３は、第ｎケーブル１４n（１４1，１４2，…１４N+1）を伝送して、信号出入力部３１の端子群３６ａに入力する。
一方、複数のケーブル１４のうちいずれかに断線が発生した場合、センサ１２から出力されたプロセス信号１３は、第ｎサブケーブル４１n（４１1，４１2，…４１N+1）を伝送して、信号出入力部３１の端子群３６ｂに入力する。
第３実施形態の臨時監視システム１０Ｃでは、ケーブルルートの多重化が図られ、ケーブル１４が断線した場合であっても、サブケーブル４１がバックアップする。
【００２８】
（第４実施形態）
次に図４に基づいて本発明における第４実施形態について説明する。
なお、図４において図３と共通の構成又は機能を有する部分は、同一符号で示し、重複する説明を省略する。
第４実施形態の臨時監視システム１０Ｄの、第３実施形態の臨時監視システム１０Ｃからの相違点は、対応する第ｎ端子盤１５n（１５1，１５2，…１５N）の端子２１nと第ｎサブ端子盤４２n（４２1，４２2，…４２N）の端子４４nとを相互に連結するための予備ケーブル４５n（４５1，４５2，…４５N）を、さらに備えている点にある。
【００２９】
第４実施形態の臨時監視システム１０Ｄでは、第ｎケーブル１４nの系列及び第ｎサブケーブル４１nの系列の両方に断線が発生した場合、断線ケーブルよりもプラント１１の側に配置されている第ｎ端子盤１５nと対応する第ｎサブ端子盤４２nとを予備ケーブル４５nで連結する。
このように、第４実施形態に係るプラントの臨時監視システム１０Ｅが構成されることで、事故等によりケーブル１４の断線が発生した場合、新たなケーブル１４を準備したり敷設作業したりすること無しに、予備ケーブル４５nを連結するのみで、プラント１１の監視を復旧することができる。
【００３０】
（第５実施形態）
次に図５に基づいて本発明における第５実施形態について説明する。
なお、図５において図３と共通の構成又は機能を有する部分は、同一符号で示し、重複する説明を省略する。
第５実施形態の臨時監視システム１０Ｅの、第３実施形態の臨時監視システム１０Ｃからの相違点は、多重化したプロセス信号１３の受信経路に対し、ケーブルの断線を検出するシステムさらに備えている点にある。
【００３１】
第５実施形態のプラントの臨時監視システム１０Ｅにおいて、第ｎ端子盤１５n（１５1，１５2，…１５N）及び第ｎサブ端子盤４２n（４２1，４２2，…４２N）の各々は、信号出入力部３１が送信する検査信号１７を第ｎケーブル１４n及び第ｎサブケーブル４１nに転送する端子５１nと、プラント１１に到達したのち返送された検査信号１７を第ｎ＋１ケーブル１４n+1及び第ｎ＋１サブケーブル４１n+1に転送する端子５２nと、を有している。
【００３２】
さらに第ｎ端子盤１５n（１５1，１５2，…１５N）及び第ｎサブ端子盤４２n（４２1，４２2，…４２N）から返送される検査信号１７に基づいて、第ｎケーブル１４n（１４1，１４2，…１４N）及び第ｎサブケーブル４１n（４１1，４１2，…４１N）のうちいずれかに発生する断線の有無を判定する判定部３３を、をさらに備えている。
【００３３】
プラントの臨時監視システム１０Ｅの信号出入力部３１は、プロセス信号１３を多重入力する端子群３６ａ，３６ｂの他に、検査信号１７を入出力する端子群３７ａ，３７ｂが設けられている。
この端子群３７ａは、検査信号１７を出力する端子と、第ｎ端子盤１５n（１５1，１５2，…１５N）から返送された検査信号１７を入力する端子と、から構成されている。
同様に端子群３７ｂは、検査信号１７を出力する端子と、第ｎサブ端子盤４２n（４２1，４２2，…４２N）から返送された検査信号１７を入力する端子と、から構成されている。
断線判定部３３は、送信された検査信号１７の、端子群３７ａ，３７ｂにおける受信の有無に基づいて、ケーブル１４及びサブケーブル４１の断線の有無を判定する。
【００３４】
このように、第５実施形態に係るプラントの臨時監視システム１０Ｅが構成されることで、多重化したプロセス信号１３の受信経路のそれぞれにおいて健全性を確認することができる。これは、ケーブルが断線すると、データ表示部３５に誤った数値が表示されることがあり、数値の読み取りを行う都度断線の有無を確認することにより、数値の信頼性を担保することができる。
【００３５】
（第６実施形態）
次に図６に基づいて本発明における第６実施形態について説明する。
なお、図６において図１と共通の構成又は機能を有する部分は、同一符号で示し、重複する説明を省略する。
プロセス信号１３がセンサ１２の出力電圧で表される場合、長距離にわたって施設されるケーブル１４の抵抗値による電圧降下の影響が無視できなくなる。さらにこのケーブル１４の抵抗値は、温度環境によって変動するものである。
【００３６】
第６実施形態に係るプラントの臨時監視システム１０Ｆは、プラント１１の内には、基準電圧の発生器５５が設けられ、第ｎケーブル１４n（１４1，１４2，…１４N+1）には、基準電圧の信号５８を伝送する素線５６n（５６1，５６2，…５６N+1）が設けられ、第ｎ端子盤１５n（１５1，１５2，…１５N）には、基準電圧の信号５８を伝送する端子５７n（５７1，５７2，…５７N）が設けられ、信号出入力部３１が入力した基準電圧の信号５８に基づいて、プロセス信号１３を補正する補正部５７が、さらに設けられている。
【００３７】
プラントの臨時監視システム１０Ｅの信号出入力部３１は、プロセス信号１３を入力する端子群３６の他に、基準電圧５５の電圧値を検出する端子群３８が設けられている。
基準電圧５５が発生する電圧Ｖ、信号出入力部３１の入力インピーダンスＺ、信号出入力部３１の端子群３８における検出電圧ｖ2とすると、第ｎケーブル１４nの素線５６nにより構成される回路の電気抵抗ｒは、次式（１）で求められる。
【００３８】
ｒ＝Ｚ（Ｖ−ｖ2）／ｖ2      （１）
【００３９】
ここで、入力インピーダンスＺ及び基準電圧Ｖは、既知であり定数として取り扱うことができるため、検出電圧ｖから回路の電気抵抗ｒを導くことができる。
補正部５７では、このような回路の電気抵抗ｒに対応する補正値を演算している。
【００４０】
次に、センサ１２の出力電圧ｅ、信号出入力部３１の端子群３６で検出されるプロセス信号１３の電圧ｖ1とすると、次式（２）の関係が求められる。
ｅ＝（（ｒ＋Ｚ）／Ｚ）・ｖ1      （２）
信号処理部３２では、回路の電気抵抗ｒに対応する補正値に基づいてプロセス信号１３の真値（センサ１２の出力電圧ｅ）を導いている。
【００４１】
このように、第６実施形態に係るプラントの臨時監視システム１０Ｆが構成されることで、ケーブル１４の電気抵抗ｒによるプロセス信号１３の誤差を除外することができる。
【００４２】
（第７実施形態）
次に図７に基づいて本発明における第７実施形態について説明する。
なお、図７において図１と共通の構成又は機能を有する部分は、同一符号で示し、重複する説明を省略する。
第７実施形態に係るプラントの臨時監視システム１０Ｇは、プラント１１の側に設けられ第ｎ＋１ケーブル１４n+1が断線した場合に第ｎケーブル１４nを経由して第ｎ端子盤１５nに設けられた第１発光部６１nに電力を供給する第１電源６３と、信号出入力部３１の側に設けられ第ｎケーブル１４nが断線した場合に第ｎ＋１ケーブル１４n+1を経由して第ｎ端子盤１５nに設けられた第２発光部６２nに電力を供給する第２電源６４と、をさらに備えている。
【００４３】
さらに、第７実施形態の臨時監視システム１０Ｇにおいて、第ｎ端子盤１５nは、第１発光部６１nに直列接続する保護抵抗６５nとこの第１発光部６１nとが接続する節点に連絡する端子６６nと、第２発光部６２nに直列接続する保護抵抗６７nとこの第２発光部６２nとが接続する節点に連絡する端子６８nと、第１発光部６１n及び第２発光部６２nの反対側の節点にそれぞれ別々に連絡する端子７１n，７２nと、二つの保護抵抗６５n，６７nの反対側の節点にそれぞれ別々に連絡する端子７３n，７４nと、を有している。
そして第ｎケーブル１４n及び第ｎ＋１ケーブル１４n+1は、これら端子に接続する素線（符号略）を有している。
【００４４】
次に図８に基づいて本発明における第７実施形態に係るプラントの臨時監視システム１０Ｇの動作について説明する。
図８（Ａ）に示すように、いずれのケーブル１４も断線していない場合は、第１電源６３及び第２電源６４と、第１発光部６１Nに直列接続する保護抵抗６５Nと、第２発光部６２1に直列接続する保護抵抗６７1と、を含む閉回路が形成される。この場合、全ての第１発光部６１n及び第２発光部６２nは、電力が供給されないために、消灯したままである。
【００４５】
図８（Ｂ）に示すように、第Ｎ＋１ケーブル１４N+1が断線した場合は、第１電源６３と、第１発光部６１Nと、これに直列接続する保護抵抗６５Nと、を含む閉回路が形成され、第１発光部６１Nが点灯する。なお、第２発光部６２N及びその他の端子盤１５の発光部６１，６２は消灯したままである。
これより、点灯した第１発光部６１Nの第Ｎ端子盤１５Nに接続された第Ｎ＋１ケーブル１４N+1が断線したことを認識することができる。
【００４６】
図８（Ｃ）に示すように、第ｎケーブル１４nが断線した場合は、第１電源６３と、第１発光部６１n-1と、これに直列接続する保護抵抗６５n-1と、を含む閉回路が形成され、第１発光部６１n-1が点灯する。さらに第２電源６４と、第２発光部６２nと、これに直列接続する保護抵抗６７nと、を含む閉回路が形成され、第２発光部６２nが点灯する。
これより、点灯した第１発光部６１n-1の第ｎ−１端子盤１５n-1と点灯した第２発光部６１nの第ｎ端子盤１５nとが接続された第ｎケーブル１４nが断線したことを認識することができる。
【００４７】
第８実施形態の臨時監視システム１０Ｇにおいては、ケーブル断線が発生すると、第ｎ−１端子盤１５n-1の第１発光部６１n-1と第ｎ端子盤１５nの第２発光部６１nとが点灯することで、これらに接続する第ｎケーブル１４nを交換対象として特定することができ、復旧作業の誤りを防止することができる。
【００４８】
（第８実施形態）
次に図９に基づいて本発明における第８実施形態について説明する。
なお、図９において図１と共通の構成又は機能を有する部分は、同一符号で示し、重複する説明を省略する。
第８実施形態に係るプラントの臨時監視システム１０Ｈは、プラント１１の内に設けられている機器８１（８１ａ，８１ｂ）を制御する制御信号８５（８５ａ，８５ｂ）を伝送する複数の第ｎケーブル１４n（ｎ＝１，２，…Ｎ＋１）と、少なくとも一つがプラント１１の外に設けられ第ｎケーブル１４nの両端がそれぞれ接続する第ｎ−１端子盤１５n-1及び第ｎ端子盤１５n（ｎ＝１，２，…Ｎ）と、第Ｎ端子盤１５Nに一端を接続させた第Ｎ＋１ケーブル１４Nの他端が接続する信号出入力部３１と、を備えている。
【００４９】
ここで機器８１（８１ａ，８１ｂ）とは、信号処理部３２から発信される制御信号８５により駆動するもので、例えば、開閉弁、ポンプ、モータ、ロボット等の機構が挙げられる。
ここで、機器８１ａの系統は、機器８１ａを駆動させる制御信号を生成する生成部８２に接続している。この制御信号生成部８２は、マン−マシンインターフェースとしての入力部８３から入力された命令信号に基づき制御信号を生成する
機器８１ｂの系統は、運転員が手動でＯＮ／ＯＦＦすることで機器８１ａを駆動させる機械スイッチ８４に接続している。
【００５０】
第８実施形態の信号処理部３２は、これら制御信号生成部８２及び機械スイッチ８４のうち少なくとも一方を含んで構成されている。
第８実施形態の臨時監視システム１０Ｈによれば、プラント１１に設置された機器８１を遠隔操作することができ、ケーブル１４が断線しても、この断線したケーブル１４のみを交換することで、早期に復旧させることができる。
【００５１】
以上述べた少なくともひとつの実施形態のプラントの臨時監視システムによれば、遠隔装置とプラントの間に間隔をおいて配置した複数の端子盤に複数のケーブルを接続し連結させることで、電源喪失やケーブル断線等のトラブルが発生しても容易に復帰させることが可能となる。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００５３】
１１…プラント、１２…センサ、１３…プロセス信号、１４n（１４）…第ｎケーブル（ケーブル）、１５n…第ｎ端子盤（端子盤）、１６…電気抵抗、１７…検査信号、１８，１９，２０，２１，２５…端子、２２，２３，２４，２６…素線、３０…遠隔装置、３１…信号出入力部、３２…信号処理部、３３…断線判定部、３４…監視用データ、３５…データ表示部、３６（３６ａ，３６ｂ）…端子群、３７（３７ａ，３７ｂ）…端子群、４１n（４１）…第ｎサブケーブル（サブケーブル）、４２n（４２）…第ｎサブ端子盤（サブ端子盤）、４４，５１，５２，５７…端子、４５…予備ケーブル、５５…基準電圧発生器、５６…素線、５７…補正部、６１…第１発光部、６２…第２発光部、６３…第１電源、６４…第２電源、６５，６７…保護抵抗、６６，６８，７１，７３…端子、８１（８１ａ, ８１ｂ）…機器、８２…制御信号生成部、８３…入力部、８４…機械スイッチ、８５…制御信号。
【図１】
2016206928.tif 000003
【図２】
2016206928.tif 000004
【図３】
2016206928.tif 000005
【図４】
2016206928.tif 000006
【図５】
2016206928.tif 000007
【図６】
2016206928.tif 000008
【図７】
2016206928.tif 000009
【図８】
2016206928.tif 000010
【図９】
2016206928.tif 000011